(57)【要約】【課題】  紫外線のみの場合と、紫外線ランプと可視光ランプの両方を用いた場合を比べると、両方を用いた場合の方が誘虫効果が大きい。しかし、このように紫外線と可視光の両方を放射する装置はなく、また単に装置を並べても大きくなるだけである。簡単な装置で、紫外線と可視光の混合電磁波を放射できるものを提供する。【解決手段】  特定波長の電磁波を放射するＬＥＤを１又は複数設けた発光体を複数種用い、そのうちの少なくとも１種のＬＥＤの放射電磁波が紫外線領域であり、複数種の発光体は一定の規則で配置され、更にそれらを電磁波拡散能を有するカバーでカバーしたもの。【選択図】  図１
2016208944.tif 000002
【特許請求の範囲】
【請求項１】
特定波長の電磁波を放射するＬＥＤを１又は複数設けた発光体を複数種用い、そのうちの少なくとも１種のＬＥＤの放射電磁波が紫外線領域であり、複数種の発光体は一定の規則で配置され、更にそれらを電磁波拡散能を有するカバーでカバーしたことを特徴とする誘虫灯。
【請求項２】
該複数種の発光体は、最も少ない種と最も多い種との数の比は、１対３以内である請求項１記載の誘虫灯。
【請求項３】
該発光体は複数の平面に載置されているものである請求項１又は２記載の誘虫灯。
【請求項４】
発光体の種類の数は２又は３である請求項１乃至３のいずれか１項に記載の誘虫灯。
【請求項５】
該発光体のうち少なくとも１つは、グリーン系の発色であり、他の少なくとも１つはブルー系の発色である請求項１乃至４のいずれか１項に記載の誘虫灯。
【発明の詳細な説明】
【技術分野】
【０００１】
本発明は、誘虫灯に関するものである。
【背景技術】
【０００２】
誘虫灯は、捕虫（殺虫を含む）器等に使用されるもので、虫（主として飛翔昆虫）が好む電磁波を放射して虫を引き付けるものである。虫の視覚としては、２４０ｎｍ〜５６０ｎｍの広い波長域の電磁波を感知する。このうち、２４０ｎｍ〜３８０ｎｍ（又は４００ｎｍ）は紫外線の領域であり、ほとんどの人間には感知できない範囲である。
【０００３】
勿論、人間もそうであるが、虫も真っ暗な部分に向かって進むということを避ける。そのため、上記した感知可能な電磁波が放射（反射も含む）され、放射している物体が認識できるものの方に向かう。特に、交尾のため同種のものが集まる光（電磁波）のもとに向かってより進むことは容易に想像がつく。このように考えると、電磁波であっても、より好む波長があるのである。言い換えれば、感度の高い電磁波の領域があるということであり、昆虫の種類によって好む波長も微妙に異なる。
【０００４】
よって、害虫を捕虫するには、当然この虫が好む波長の電磁波を放射してそれに集まるようにしている。一般的には虫は、３７０ｎｍ程度の紫外線を好む（感知する）ものが多い。
【０００５】
しかし、虫は前記した通り紫外線だけを感知するのではなく、可視光の範囲も感知する。人間でも同様であるが、特定の色だけの光よりも、可視光の広い範囲の波長が混合されたもののほうが好ましい。
【０００６】
このことは、従来から知られており、紫外線のみの場合と、紫外線ランプと可視光ランプの両方を用いた場合を比べると、両方を用いた場合の方が誘虫効果は大きい。
【０００７】
しかし、従来の誘虫、捕虫器としては、特許文献１のようなものが主である。これは、紫外線を放射して誘虫するものであり、紫外線と可視光の混合を考慮したものではない。
【先行技術文献】
【特許文献】
【０００８】
【特許文献１】特開２００７−７４９０８号
【発明の概要】
【発明が解決しようとする課題】
【０００９】
そこで、本発明では、簡単な装置で、紫外線と可視光の混合電磁波を放射できるものを提供する。
【課題を解決するための手段】
【００１０】
以上のような状況に鑑み、本発明者は鋭意研究の結果本発明誘虫灯を完成したものであり、その特徴とするところは、特定波長の電磁波を放射するＬＥＤを１又は複数設けた発光体を複数種用い、そのうちの少なくとも１種のＬＥＤの放射電磁波が紫外線領域であり、複数種の発光体は一定の規則で配置され、更にそれらを電磁波拡散能を有するカバーでカバーした点にある。
【００１１】
本発明において誘虫灯とは、虫の好む波長の電磁波を放射して虫を寄せ集めるものである。集める目的は自由である。捕虫、観察、行かせたくない所から離すため、その他である。
【００１２】
特定波長の電磁波を放射するＬＥＤとは、通常のＬＥＤであり、特定の波長は問わない。ＬＥＤは、指向特性（広がり角度）が小さいのがポイントである。また、その放射波長範囲も狭く、狭い波長範囲の電磁波した出さないものが多い。そのため、赤色ＬＥＤや、青色ＬＥＤ等と呼ばれているのである。
【００１３】
ここでいう発光体とは、上記したＬＥＤ（チップ）を１又は複数設けたもので（パッケージ化されたものやモジュール化されたもの、また複数のチップを組み合わせた等）、電磁波としてはその合わさったものが感知される。例えば、赤緑青を合わせた白色ＬＥＤ等である。また、ＬＥＤだけでなく、蛍光体を組み合わせて異なる波長の電磁波を放射できるようにしたものでもよい。
【００１４】
この発光体の中のＬＥＤが全て同じものは同じ発光体であり、複数ＬＥＤを用いるものでそのうち１つでも異なれば別種の発光体である。
【００１５】
この発光体のＬＥＤのうち少なくとも１種は、紫外線領域の電磁波を放射する。紫外線が３８０ｎｍ以下という説や４００ｎｍ以下という説等があるが、基本的には波長が３６５ｎｍや３８５ｎｍ等の虫が好む波長の電磁波（虫によって異なる場合もある）をいい、これらが少なくとも１種含まれていればよい。この理由は、紫外線をまったく含まない電磁波では誘虫効果は非常に少ないためである。
【００１６】
紫外線領域（２４０〜４００ｎｍ又は３８０ｎｍ）以外のＬＥＤの波長は、自由であるが、青色、緑色が好適である。この場合には、３種の発光体を使用することになる。紫外線域と緑色の２種でも相当の効果があった。
虫によって好む波長が異なるため、多くの波長の電磁波を使用すれば、より多くの種類の虫が誘引されることになる。よって、本発明でも２種以上の可視光ＬＥＤを用いる方がよい。例えば、３種、４種、５種等である。
【００１７】
また、これらの異なる発光体は、一定の規則で配置されている。ここでいう一定の規則とは、縦横すべて順番に並べる、１つまたは複数ずつ並べる等であり、その規則性は問わない。しかし、全体としては一定の規則で配置されており、まったくランダムなものは含まない。なぜならば、紫外線を含まないような部分がかたまって存在すれば、その部分の誘虫効果が低く無駄である。
【００１８】
規則性の例としては、ＡＢＣ３種のものを用いる場合なら、例えば、ＡＢＣＡＢＣＡＢＣであり、他の例としてはＡＡＢＢＣＣＡＡ、その他ＡＢＢＣＡＢＢＣＡＢＢＣ等も考えられる。
【００１９】
これらの発光体は、基盤（電源を供給し、ＬＥＤを支持し、好ましくは放熱するような部材）に固定されるものである。この基盤上のＬＥＤはカバーで覆われる。カバーは、当然ながら電磁波を透過するものでなくてはならない。
発光体の数は自由であるが、２０〜２００個程度が普通である。
【００２０】
このカバーは、ＬＥＤを保護するだけでなく、そもそも、ＬＥＤは放射する電磁波の波長域が狭いだけでなく、前記した通りその放射角度（立体角度、ステラジアン）が小さく、通常の照明器具のように大きく広がらない。よって、大きく広げて、広く虫を誘うようにＬＥＤの前に拡散具（拡散板や拡散フィルム）を設けている。これは、電磁波が透過はするが、そのまま透過するのではなく、種々の方向に拡散して透過するものである。
【００２１】
よって、本発明のカバーも電磁波拡散能を有するものである。そのような例としては、透明ガラス板や透明プラスチック板で、その中に拡散材が含まれているものやコーティングされているものがある。即ち、中に含まれた拡散材（部材と異なったプラスチック片やシリカビーズ等）で電磁波が反射して角度が変わることで拡散するのである。このほか、透明部材に拡散フィルムを貼ってもよい。
【００２２】
拡散フィルムは、前記のプラスチックと同様、原料に拡散材を練り込んだものや、フィルムを押し出す口金に凹凸を設け、チューブやフィルムの片側に凹凸の筋を付けたものでもよい。
【００２３】
また、プラスチックの部材の表面にヤスリ等で傷をつけて拡散させる方法もある。また、スリガラスのようなものも可能である。即ち、拡散させる方法は自由である。
【００２４】
拡散カバーは、平面的であっても、直管蛍光灯のような筒状でも、球状、その他の曲面状でもよい。
【００２５】
本発明の異なる種類の発光体の数はほぼ等しいものが好ましい。しかし、虫の種類や用いる発光体によっては、最も多いものと最も少ないものとの数が同数でないことも考えられる。限定はしないが、１：１〜１：５、好ましくは１：１〜１：３、より好ましくは１：１〜１：２の間である。数が近いほど好ましい。混合がよく、どの波長の特徴もでるためである。
【００２６】
この発明では、発光体が１列だけ並んでいるのではなく、２列又はより多く平面的に並んでいるものでもよい。このように多数列配置した方が、より広範囲に放射できる。
【００２７】
さらに、発光体を平面状に配置するだけでなく、立体的に載置して、全周的に電磁波を放射できるようにしてもよい。例えば、断面矩形の長尺状の筒又は棒状の各平面（少なくとも複数の面）部分に、紫外線放射ＬＥＤと、可視光放射ＬＥＤを直線的に交互に載置し、全周的、全体的には市松模様状に見えるように組み合わせたもの等である。この場合であっても、その外側には拡散カバーがあり、そのカバーまでの距離は、隣り合う発光部の間隔より大きい。
【００２８】
また、断面が矩形でなく、カマボコ状、楕円、円形、扁平な円形、その他湾曲した断面形状の筒体や棒体の特定の面にＬＥＤを載置してもよい。本発明の誘虫灯の使用場所や使用方法によって決めればよい。
【発明の効果】
【００２９】
本発明誘虫灯には次のような大きな利点がある。
（１）  紫外線と可視光が混合された電磁波が放射されているため、誘虫効果が大きい。
（２）  昆虫の視感効率や光に対する特徴に合わせて電磁波の組み合わせを変えることができるので、目的とする昆虫の捕獲効率を上げることができる。
（３）  混合のための特別な装置は不要であり安価である。
（４）  種々の捕虫器に使用できる。
【図面の簡単な説明】
【００３０】
【図１】本発明誘虫灯の基盤に３種の発光体を交互に配置した平面図である。
【図２】図１の断面図である。
【図３】本発明誘虫灯の他の例の横断面図である。
【図４】本発明誘虫灯の更に他の例の横断面図である。
【図５】本発明を利用した捕虫器の１例の断面図である。
【発明を実施するための形態】
【００３１】
以下実施例に基づいて、本発明をより詳細に説明する。
図１（ａ）は、本発明誘虫灯１の基盤２に３種の発光体３を交互に配置した平面図である。この例では、発光体３は、基盤２の１面に平面的に配置されている。この例では、Ａ発光体の放射電磁波の波長は３６５ｎｍで、Ｂ発光体の放射電磁波の波長は４７０ｎｍ、Ｃ発光体の波長は５４０ｎｍであった。
この例では２列であるが、１列（図１（ｂ））でも、３列（図１（ｃ）以上でも問題はない。
【００３２】
図２は、図１の横断面図である。基盤２の片側にのみ発光体３が設けられているのがわかる。発光体３側には、カバー４が設けられている。このカバー４は、フッ素樹脂製のもので、中に乱反射材が練り込まれている。乱反射材は通常のものでシリコン、炭カル、タルク、酸化チタン等でもよい。
【００３３】
図３は、図２と同様の図であるが、裏面にも発光体３が設けられ、両面に電磁波を放射するものである。図２のようにカバー４が設けられている。
【００３４】
図４は、基盤２が立体的に組み合わされている例であり、この例では三角柱型に組み合わせている。その中央の中間空間５は冷却の役目を果たす。
【００３５】
図５は、本発明誘虫灯１を利用した捕虫器６の１例を示す横断面図である。直管蛍光灯のような形状の誘虫灯１が、内側に反射面７を有する枠体８の中間部に設けられ、誘虫灯１の上下に粘着剤を表面に固着した捕虫具９を設けている。この誘虫灯は図２の例のような前後に放射するタイプである。後方に放射された電磁波は、反射面で反射されて前方に放射される。
勿論、これは１例であり、どのような捕虫器にも使用できるもので、この例のような横型だけでなく、縦型その他自由である。
【符号の説明】
【００３６】
１  誘虫灯
２  基盤
３  発光体
４  カバー
５  空間
６  捕虫器
７  反射面
８  捕虫具
【図１】
2016208944.tif 000003
【図２】
2016208944.tif 000004
【図３】
2016208944.tif 000005
【図４】
2016208944.tif 000006
【図５】
2016208944.tif 000007